(57)【要約】【課題】複数の画像処理装置中のいずれかの画像処理装置の不良個所の特定を容易にすることである。【解決手段】複数の画像処理手段１０１〜１０６の中から、任意の一つの画像処理手段もしくは、複数の画像処理手段を選択する選択器１０７，１０８を有し、各々別々、もしくは複数に共通に付加されている選択対象を特定するための特定値を、画像処理手段１０１〜１０６の特定値生成器１０１−２〜１０６−２が画像処理出力データの特定個所にのみ出力する構成を備えることを特徴とする。【選択図】　　　図１
2004023323.tif 000002
【特許請求の範囲】
【請求項１】
複数の画像情報処理手段により構成される画像処理装置であって、
複数の画像処理手段の中から、任意の１つの画像処理手段もしくは、複数の画像処理手段を選択する選択手段と、
各々別々、もしくは複数に共通に付加されている選択対象を特定するための特定値をそれぞれの画像処理手段の画像処理出力データの特定個所にのみ出力する特定値出力手段と、
を有することを特徴とする画像処理装置。
【請求項２】
前記特定値が、書き換え不能な手段により決定される構成となっていることを特徴とする請求項１に記載の画像処理装置。
【請求項３】
前記特定値が、書き換え可能なレジスタにより決定される構成となっていることを特徴とする請求項１に記載の画像処理装置。
【請求項４】
前記選択手段は、選択された値のデコード値に該当する画像処理手段が無い場合、全て”０”または、”１”のデータを選択する機能を有することを特徴とする請求項１に記載の画像処理装置。
【請求項５】
前記特定値は、各画像処理手段における入力、及び出力で使用される水平方向の画像処理起動を表す画像処理水平同期信号、あるいは垂直方向の画像処理起動を表す画像処理垂直同期信号のアクティブ期間に出力することを特徴とする請求項２，３，４のいずれかに記載の画像処理装置。
【請求項６】
前記特定値は、各画像処理手段における入力、及び出力で使用される水平方向の画像処理データ有効期間を表す画像処理水平イネーブル信号、あるいは垂直方向の画像処理データ有効期間を表す画像処理垂直イネーブル信号のインアクティブ期間に出力することを特徴とする請求項２，３，４のいずれかに記載の画像処理装置。
【発明の詳細な説明】
【０００１】
【発明の属する技術分野】
本発明は、デジタル画像情報を処理する画像処理装置に係り、画像処理手段固有の特定値を生成して、画像処理出力データの特定個所に出力し、特に、画像処理手段固有の特定値を解析して画像処理装置の不良個所の特定を容易にする機能を備えた画像処理装置に関するものである。
【０００２】
【従来の技術】
従来、デジタル画像情報を処理する画像処理装置において、複数の画像処理手段で構成される場合、通常の画像処理の処理順序とは別に、検証対象となる画像処理手段の入力に所望の値を与え、その画像処理手段の出力データを確認することで、各画像処理手段の機能検証を行う方法が良く知られている。
【０００３】
例えば、各画像処理手段にその処理機能をバイパスするモードを設け、検証対象となる画像処理手段の前段にある画像処理手段ではバイパスモードに設定する。
【０００４】
一方、外部から入力した検証用入力データは、検証対象の前段にある画像処理手段ではそのままバイパスされ、検証対象の画像処理手段の人力データとして供給される。そして、検証対象となる画像処理手段の出力データを、他の画像処理手段の出力データと合わせ、排他的に選択し検証作業を実行する。
【０００５】
図６は、従来の画像処理装置の基本構成を説明するブロック図である。
【０００６】
図６においては、２０１〜２０６は画像処理手段、２０８は選択器で、画像処理手段２０２〜２０４の出力データを選択する。２０７は選択器で、画像処理手段２０１〜２０６のｎ個の出力データを選択する。
【０００７】
画像処理手段２０１の出力データは、画像処理手段２０２，２０３，２０４に入力され、画像処理手段２０２の出力データは選択器２０８，２０７に入力され、画像処理手段２０３の出力データは選択器２０８，２０７に入力され、画像処理手段２０４の出力データは選択器２０８，２０７に入力され、選択器２０８では画像処理手段２０２〜２０４の出力データを選択し、画像処理手段２０５に入力する。画像処理手段２０５の出力データは画像処理手段２０６，選択器２０７に入力され、画像処理手段２０６の出力データは選択器２０７に入力される。
【０００８】
また、選択器２０７には選択情報が入力され、この入力情報により、画像処理手段２０１〜２０６からの各出力データのいずれかが選択され出力される。この出力された値を所望の値と比較することで、各画像処理手段の検証を実行していた。
【０００９】
【発明が解決しようとする課題】
上記のように構成された画像情報を処理する従来の画像処理装置において、画像処理手段２０１〜２０６が正常に動作しているか確認する、あるいは、画像処理手段間の接続情報の確認など、選択器２０７を用いて各画像処理手段の動作を切り分けて、所望の人力画像データを検証対象となる画像処理手段に供給し、その画像処理手段の出力データを選択器２０７で選択して出力し、外部で確認する方法が取られる。
【００１０】
しかし、画像処理手段２０２〜２０４のような複数の画像処理手段が同じ機能を有し、並列動作をしているような場合や、画像処理手段の動作モードを同じモードに設定した場合には、画像処理手段２０２〜２０４の各出力データが同じになるため、選択器２０７で検証対象のブロックが正しく選択出来ているか判定が難しくなる。
【００１１】
特に、選択器２０７が適切な各画像処理手段の出力データを選択していない場合や、画像処理手段間の接続ミス、複数の画像処理手段の出力データを一つのバスデータに統合した場合に発生するミス等では、検証しづらいという問題点があった。
【００１２】
本発明は、上記の問題点を解決するためになされたもので、本発明の目的は、画像情報を処理する複数の画像処理手段を備える画像処理装置において、画像処理手段固有の特定値を生成して、画像処理出力データの特定個所に出力し、画像処理手段固有の特定値を解析することによって、複数の画像処理手段中のいずれかの画像処理手段の不良個所の特定を容易にすることができる画像処理装置を提供することである。
【００１３】
【課題を解決するための手段】
本発明に係る第１の発明は、複数の画像情報処理手段により構成される画像処理装置であって、複数の画像処理手段の中から、任意の１つの画像処理手段もしくは、複数の画像処理手段を選択する選択手段と、各々別々、もしくは複数に共通に付加されている選択対象を特定するための特定値をそれぞれの画像処理手段の画像処理出力データの特定個所にのみ出力する特定値出力手段とを有することを特徴とする。
【００１４】
本発明に係る第２の発明は、前記特定値が、書き換え不能な手段により決定される構成となっていることを特徴とする。
【００１５】
本発明に係る第３の発明は、前記特定値が、書き換え可能なレジスタにより決定される構成となっていることを特徴とする。
【００１６】
本発明に係る第４の発明は、前記選択手段は、選択された値のデコード値に該当する画像処理手段が無い場合、全て”０”または、”１”のデータを選択する機能を有することを特徴とする。
【００１７】
本発明に係る第５の発明は、前記特定値は、各画像処理手段における入力、及び出力で使用される水平方向の画像処理起動を表す画像処理水平同期信号、あるいは垂直方向の画像処理起動を表す画像処理垂直同期信号のアクティブ期間に出力することを特徴とする。
【００１８】
本発明に係る第６の発明は、前記特定値は、各画像処理手段における入力、及び出力で使用される水平方向の画像処理データ有効期間を表す画像処理水平イネーブル信号、あるいは垂直方向の画像処理データ有効期間を表す画像処理垂直イネーブル信号のインアクティブ期間に出力することを特徴とする。
【００１９】
【発明の実施の形態】
以下、本発明の実施形態について説明する。
【００２０】
図１は、本発明の一実施形態を示す画像処理装置の構成を説明するブロック図である。
【００２１】
図１においては、１０１〜１０６は画像処理手段である。１０８は選択器で、画像処理手段１０２〜１０４の出力データを選択する。１０７は選択器で、画像処理手段１０１〜１０６の出力データを選択する。
【００２２】
画像処理手段１０１の出力データは、画像処理手段１０２，１０３，１０４，１０７に入力され、画像処理手段１０２の出力データは選択器１０８，１０７に入力され、画像処理手段１０３の出力データは選択器１０８，１０７に入力され、画像処理手段１０４の出力データは選択器１０８，１０７に入力され、選択器１０８では、画像処理手段１０２〜１０４の出力データを選択して画像処理手段１０５に入力する。画像処理手段１０５の出力データは画像処理手段１０６と選択器１０７に入力され、画像処理手段１０６の出力データは選択器１０７に入力される。
【００２３】
また、選択器１０７には選択情報が入力され、この入力情報により画像処理手段１０１〜１０６からの各出力データのいずれかが選択され出力される。
【００２４】
画像処理手段１０１の内部は、画像処理部１０１−１と、画像処理手段１０１固有の特定値を生成する特定値生成器１０１−２で構成され、画像処理手段１０１には画像処理入力データが入力され、これは画像処理データ信号、及び画像処理コントロール信号で構成される。
【００２５】
画像処理手段１０１の特定値生成器１０１−２では、画像処理手段１０１固有の特定値を生成するが、その内容は画像処理手段１０１を特定するための画像処理判別情報、画像処理手段の動作情報を示す画像処理動作情報により構成される。なお、特定値は、あらかじめレジスタに格納された値を読み出すこと、あるいは、動作情報によって書き換えられたものを用いることにより実現出来、外部から書き換えることも可能である。
【００２６】
画像処理手段１０２の特定値生成器１０２−２では、画像処理手段１０２固有の特定値を生成するが、その内容は画像処理手段１０２を特定するための画像処理判別情報、画像処理手段の動作情報を示す画像処理動作情報により構成される。なお、特定値は、あらかじめレジスタに格納された値を読み出すこと、あるいは、動作情報によって書き換えられたものを用いることにより実現出来、外部から書き換えることも可能である。
【００２７】
画像処理手段１０３の特定値生成器１０３−２では、画像処理手段１０３固有の特定値を生成するが、その内容は画像処理手段１０３を特定するための画像処理判別情報、画像処理手段の動作情報を示す画像処理動作情報により構成される。なお、特定値は、あらかじめレジスタに格納された値を読み出すこと、あるいは、動作情報によって書き換えられたものを用いることにより実現出来、外部から書き換えることも可能である。
【００２８】
画像処理手段１０４の特定値生成器１０４−２では、画像処理手段１０４固有の特定値を生成するが、その内容は画像処理手段１０４を特定するための画像処理判別情報、画像処理手段の動作情報を示す画像処理動作情報により構成される。なお、特定値は、あらかじめレジスタに格納された値を読み出すこと、あるいは、動作情報によって書き換えられたものを用いることにより実現出来、外部から書き換えることも可能である。
【００２９】
画像処理手段１０５の特定値生成器１０５−２では、画像処理手段１０５固有の特定値を生成するが、その内容は画像処理手段１０５を特定するための画像処理判別情報、画像処理手段の動作情報を示す画像処理動作情報により構成される。なお、特定値は、あらかじめレジスタに格納された値を読み出すこと、あるいは、動作情報によって書き換えられたものを用いることにより実現出来、外部から書き換えることも可能である。
【００３０】
画像処理手段１０６の特定値生成器１０６−２では、画像処理手段１０６固有の特定値を生成するが、その内容は画像処理手段１０６を特定するための画像処理判別情報、画像処理手段の動作情報を示す画像処理動作情報により構成される。なお、特定値は、あらかじめレジスタに格納された値を読み出すこと、あるいは、動作情報によって書き換えられたものを用いることにより実現出来、外部から書き換えることも可能である。
【００３１】
また、画像処理手段１０１〜１０６で生成された各画像処理出力データには、画像処理データ信号、及び画像処理コントロール信号が含まれ、画像処理コントロール信号には、画像処理の起動を意味する画像処理同期信号と、画像処理データの有効、非有効期間を決定する画像処理イネーブル信号も含まれる。この画像処理コントロール信号を利用し、新たに生成した画像処理手段固有の特定値を、画像処理データ信号が使用されない非有効期間内に埋め込むことで、直接画像処理データに影響を与えない構成にすることが可能となる。
【００３２】
更に、選択器１０７では選択情報により値がデコードされ、排他的に１つの入力データが選択されるが、デコード値に対応する画像処理手段が存在しない場合には、強制的に”０”もしくは、”１”を画像処理出力データとして出力する構成となっているため、選択情報によるミスも防げる。
【００３３】
以下、どのようにして画像処理手段の検証をするか具体例を用いて説明する。
【００３４】
通常、画像処理手段１０１〜１０６が正常に動作しているか確認するため、選択器１０７を用いて、各画像処理手段１０１〜１０６の動作を切り分け、所望の入力画像テータを検証対象となる画像処理手段に供給し、その画像処理手段の出力データを選択器１０７で選択して出力し、外部で確認する方法が取られる。
【００３５】
画像処理手段１０２〜１０４が同じ画像処理手段である場合、同じ画像処理モードで動作している場合には、画像処理手段１０２〜１０３の各出力データは同値になる。
【００３６】
しかし、画像処理手段１０２から選択器１０７、画像処理手段１０３から選択器１０７、画像処理手段１０４から選択器１０７に接続ミスがあれば、選択器１０７に入力された選択情報に相当する入力データを正しく選択しても、検証対象とは別の出力信号を選択してしまうが、同値を切り替えて出力しているため、どの画像処理手段からの出力なのか判断し難い。
【００３７】
また、画像処理手段１０２〜１０４が異なる画像処理手段であっても、同様に接続ミスがあれば、その原因追求に時間が掛かり確認しづらい。
【００３８】
そこで、画像処理手段固有の特定値を、図２に示すような画像処理手段の判別するための画像処理判別情報、図３に示すような画像処理手段を動作情報を示す画像処理動作情報から構成する。
【００３９】
図２は、図１に示した各画像処理手段を判別するための画像処理判別情報の一例を示す図であり、図３は、図１に示した画像処理手段の動作情報を示す画像処理動作情報の一例を示す図である。
【００４０】
例えば、検証対象となる画像処理手段が”画像処理３”で、画像処理モードが、”通常処理モード１”であれば、前記２つの情報を組み合わせた”０１１””０１０”という特定値が特定値生成器１０１−２〜１０６−２より得られ、この値を画像処理出力データに出力する。
【００４１】
ただし、この画像処理特定値は、画像処理出力データの特定個所にのみ出力し、その場所は画像処理同期信号、あるいは画像処理イネーブル信号により決定される。
【００４２】
図４，図５は、図１に示した画像処理装置の動作を説明するためのタイミングチャートであり、図４は、画像処理同期信号のアクティブ期間を検出して、画像処理手段から出力される画像処理データ信号のどの期間に、前記特定値を埋め込むかを示し、図５は、画像処理イネーブル信号のインアクテイブ期間を検出して、画像処理手段から出力される画像処理データ信号のどの期間に、前記特定値を埋め込むかを示している。
【００４３】
特に、画像処理手段固有の特定値は、画像処理判別情報、画像処理動作情報を、単体でも、組み合わせても生成出来、前記特定値の埋め込む期間を決定する為の画像処理同期信号、画像処理イネーブル信号についても、同様に単体でも、組み合わせでも使用可能である。
【００４４】
以上から、選択器１０７が適切な各画像処理手段の出力データを選択していない場合や、画像処理手段間の接続ミス、複数の画像処理手段の出力データを一つのバスデータに統合した場合に発生したミス等がある場合、本実施形態に示すように、各画像処理手段の画像処理データの非有効期間に埋め込んだ画像処理手段固有の特定値を解析することによって、選択器１０７により選択された画像処理データが、どの画像処理手段で生成された情報であるか、その画像処理手段がどのような画像処理モードで出力されたデータであるかを、画像処理装置の外部で確認することが可能となり検証をより容易にすることが出来る。
【００４５】
【発明の効果】
以上説明したように、本発明によれば、複数の画像処理手段により構成される画像処理装置において、各画像処理手段の出力データに埋め込まれた画像処理手段固有の特定値を解析するので、各画像処理手段間の接続ミスや、一つのバスデータに統合した場合に発生するミス等の不良個所を容易に検証できる。
【００４６】
特に、この画像処理手段固有の特定値を、画像処理出力データの特定個所にのみ出力することにより、通常の画像処理に影響を与えることなく検証効率をあげることが可能となる等の効果を奏する。
【図面の簡単な説明】
【図１】本発明の一実施形態を示す画像処理装置の構成を説明するブロック図である。
【図２】図１に示した各画像処理手段を判別するための画像処理判別情報の一例を示す図である。
【図３】図１に示した画像処理手段の動作情報を示す画像処理動作情報の一例を示す図である。
【図４】図１に示した画像処理装置の動作を説明するためのタイミングチャートである。
【図５】図１に示した画像処理装置の動作を説明するためのタイミングチャートである。
【図６】従来の画像処理装置の基本構成を説明するブロック図である。
【符号の説明】
１０１〜１０６　画像処理手段
１０１−２〜１０６−２　特定値生成器
１０７　選択器
１０８　選択器
【図１】
2004023323.tif 000003
【図２】
2004023323.tif 000004
【図３】
2004023323.tif 000005
【図４】
2004023323.tif 000006
【図５】
2004023323.tif 000007
【図６】
2004023323.tif 000008